(57)【要約】【課題】カード製造に用いる収納箱を用いてアクセサリー型電子マネー媒体を搬送するのに適したアクセサリー型電子マネー媒体用の搬送ケースを提供する。【解決手段】搬送ケース１は、アクセサリー型電子マネー媒体２を収納するケース本体１ｂと蓋体１ａとから少なくともなり、ケース本体１ｂと蓋体１ａには緩衝材１０がはめ込まれ、ケースのサイズはＩＤカードのサイズになっている。また、搬送ケース１において、ケース本体１ｂにはめ込む緩衝材１０ｂにおいては、アクセサリー型電子マネー媒体２と接触する面の形状は中心部に進むにあたり窪む形状になっている。【選択図】図２
2014081683.tif 000002
【特許請求の範囲】
【請求項１】
アクセサリー型電子マネー媒体を収納するケース本体と蓋体とから少なくともなり、前記ケース本体と前記蓋体には緩衝材がはめ込まれ、ケースのサイズをＩＤカードのサイズにしたことを特徴とするアクセサリー型電子マネー用の搬送ケース。
【請求項２】
前記ケース本体にはめ込む前記緩衝材において、前記アクセサリー型電子マネー媒体と接触する面の形状を中心部に進むにあたり窪む形状にしたことを特徴とする、請求項１に記載したアクセサリー型電子マネー媒体の搬送ケース。
【発明の詳細な説明】
【技術分野】
【０００１】
本発明は、キーホルダーやストラップの形態のアクセサリー型電子マネー媒体を、製造工場の工程間で搬送するための技術に関する。
【背景技術】
【０００２】
ＩＣカード等のカードを製造するカード製造工場では、キャッシュカードサイズに打ち抜かれたカードの搬送に、複数枚（例えば、２００枚）を積み重ねてカードを収納できる収納空間が形成されたカード収納箱を利用する。
【０００３】
図４は、カード収納箱３ａの一例を説明する図である。図４で図示したカード収納箱３ａには、複数枚を積み重ねてＩＤカード３ｃ（例えば、キャッシュカード）を収納できる一つの収納空間が形成され、ＩＤカード３ｃを収納した複数のカード収納箱３ａはダンボール箱３ｂに入れられて搬送される。なお、カード収納箱３ａに形成される収納空間は一つでなくてよく、特許文献１の図２には、複数のカードを収納するための複数の収納空間が形成されたカード収納箱３ａが記載されている。
【先行技術文献】
【特許文献】
【０００４】
【特許文献１】特許第４７０２６１６号公報
【発明の概要】
【発明が解決しようとする課題】
【０００５】
カード製造工場では、Ｅｄｙ（登録商標）に代表される電子マネー媒体として、キャッシュカードサイズの非接触ＩＣカードを製造すればよかったが、本出願人が既に販売している「Smart-Jacket（登録商標）」のように、ＦｅｌｉＣａ（登録商標）のモバイルチップを搭載した小型非接触ＩＣ媒体が開発されたことを受けて、カード製造工場では、カード形態の電子マネー媒体に加え、キーホルダーやストラップの形態のアクセサリー型電子マネー媒体も取り扱いしなければならなくなった。
【０００６】
カード製造工場において、アクセサリー型電子マネー媒体の検査や出荷等を実施する際、アクセサリー型電子マネー媒体を工程間で搬送しなければならないが、アクセサリー型電子マネー媒体の搬送に用いる収納箱とカード製造に用いる収納箱が異なると、カード製造工場側で収納箱の管理が複雑になるため、カード製造に用いる収納箱を用いてアクセサリー型電子マネー媒体を搬送できることが望ましい。
【０００７】
そこで、本発明は、カード製造に用いる収納箱を用いてアクセサリー型電子マネー媒体を搬送するのに適したアクセサリー型電子マネー媒体用の搬送ケースを提供する。
【課題を解決するための手段】
【０００８】
上述した課題を解決する本発明は、アクセサリー型電子マネー媒体を収納するケース本体と蓋体とから少なくともなり、前記ケース本体と前記蓋体には緩衝材がはめ込まれ、ケースのサイズをＩＤカードのサイズにしたことを特徴とするアクセサリー型電子マネー用の搬送ケースである。なお、本発明の前記搬送ケースにおいて、前記ケース本体にはめ込む前記緩衝材において、前記アクセサリー型電子マネー媒体と接触する面の形状は中心部に進むにあたり窪む形状になっていることが望ましい。
【発明の効果】
【０００９】
このように、本発明の搬送ケースにおいて、ケースのサイズはＩＤカードのサイズになっているため、アクセサリー型電子マネー媒体の搬送にカード製造に用いる収納箱を用いることができるようになる。
【図面の簡単な説明】
【００１０】
【図１】アクセサリー型電子マネー媒体を説明する図。
【図２】本実施形態にかかる搬送ケースを説明する図。
【図３】アクセサリー型電子マネー媒体の搬送方法を説明する図。
【図４】カード収納箱の一例を説明する図。
【発明を実施するための形態】
【００１１】
ここから、本発明の好適な実施形態について、図面を参照しながら詳細に説明する。図１は、アクセサリー型電子マネー媒体２を説明する図である。
【００１２】
図１に図示したように、アクセサリー型電子マネー媒体２とは、ストラップやキーホルダーの形態の電子マネー媒体を意味する。図１（ａ）には、先端に人形２１ａが取り付けられたキーホルダーの形態のアクセサリー型電子マネー媒体２ａを図示し、図１（ｂ）には、先端にマスコット２１ｂが取り付けられたストラップの形態のアクセサリー型電子マネー媒体２ｂを図示している。
【００１３】
図１で図示した人形２１ａやマスコット２１ｂ内には、電子マネーを利用できるように、ＦｅｌｉＣａ（登録商標）のモバイルチップに代表される非接触ＩＣチップを搭載した小型非接触ＩＣ媒体２０が内蔵されている。電子マネー媒体に内蔵される小型非接触ＩＣ媒体２０のサイズは様々あるが、本出願人が既に販売している「Ｓｍａｒｔ−Ｊａｃｋｅｔ（登録商標）」では、最小サイズは４５×３８ｍｍで、その厚さは約６ｍｍである。
【００１４】
次に、図１で図示したようなアクセサリー型電子マネー媒体２の搬送に利用する搬送ケース１について説明する。図２は、本実施形態にかかる搬送ケース１を説明する図である。
【００１５】
本実施形態の搬送ケース１は、アクセサリー型電子マネー媒体２を、図４で図示したカード収納箱３ａに収納する際に用いられるケースで、ポリ塩化ビニルやポリプロピレンなどの材質で出来ており、図２に図示したように、カード収納箱３ａに収納できるように、搬送ケース１のサイズは、カード製造会社で製造するＩＤカード３ｃ（例えば、キャッシュカード）のサイズに合わせている。
【００１６】
搬送ケース１のサイズはＩＤカード３ｃのサイズになっているが、アクセサリー型電子マネー媒体２に内蔵される小型非接触ＩＣ媒体２０の厚みは約６ｍｍであるため、搬送ケース１の厚みは、ＩＤカード３ｃの厚み（例えば、０．７６ｍｍ）よりも厚くなり、アクセサリー型電子マネー媒体２の厚みなどから求められることになる。
【００１７】
図２に図示した搬送ケース１は開閉式のケースで、蓋体１ａとケース本体１ｂの接合部を肉薄にすることで、蓋体１ａを開閉可能にしている。また、蓋体１ａとケース本体１ｂそれぞれに係止部１１を設け、蓋体１ａに凸状の係止部１１ａを、ケース本体１ｂに凹状の係止部１１ｂをそれぞれ設け、凸状の係止部１１ａと凹状の係止部１１ｂが嵌合することで、蓋体１ａとケース本体１ｂを係止できるようにしている。
【００１８】
搬送ケース１の蓋体１ａとケース本体１ｂには、搬送ケース１に収納するアクセサリー型電子マネー媒体２を保護するための緩衝材１０がはめ込まれる。本実施形態において、蓋体１ａにはめ込む緩衝材１０ａの形状は長方形だが、図２のＡ−Ｂ間の断面図を見ればわかるように、ケース本体１ｂにはめ込む緩衝材ｂにおいては、アクセサリー型電子マネー媒体２と接触する面の形状を中心部に進むにあたり窪む形状にしており、緩衝材１０ｂの中心を示す中心ガイド１０ｂ１を設けている。
【００１９】
図３は、搬送ケース１を用いたアクセサリー型電子マネー媒体２の搬送方法を説明する図である。搬送ケース１にアクセサリー型電子マネー媒体２を収納する際、搬送ケース１のケース本体１ｂに設けられた中心ガイド１０ｂ１を参照して、アクセサリー型電子マネー媒体２をケース本体１ｂの中心部に置き、蓋体１ａとケース本体１ｂを係止して、アクセサリー型電子マネー媒体２を搬送ケース１に収納する。
【００２０】
アクセサリー型電子マネー媒体２を収納した搬送ケース１はカード収納箱３ａに入れられ、更に、搬送ケース１を収納したカード収納箱３ａはダンボール３ｂに入れられる。そして、搬送ケース１に収納したアクセサリー型電子マネー媒体２を製造工場の工程間で搬送する際、カード収納箱３ａを収納したダンボール３ｂが製造工場の工程間で搬送される。
【００２１】
このように、カード製造工場において、アクセサリー型電子マネー媒体２の検査や出荷等を実施する際、アクセサリー型電子マネー媒体２の搬送に搬送ケース１を利用することで、アクセサリー型電子マネー媒体２の搬送に用いる収納箱とカード収納箱３ａを同一にでき、カード製造工場側で用いる収納箱の管理が容易になる。
【００２２】
また、搬送ケース１の蓋体１ａおよびケース本体１ｂに緩衝材１０をはめ込むことで、搬送ケース１に収納するアクセサリー型電子マネー媒体２が搬送時に破損することを防止でき、更に、ケース本体１ｂにはめ込む緩衝材１０の形状を、中心部に進むにあたり窪む形状とすることで、アクセサリー型電子マネー媒体２が搬送ケース１内に収まり易くなる。
【符号の説明】
【００２３】
１    搬送ケース
１ａ  蓋体
１ｂ  ケース本体
１０  緩衝材
１０ａ  蓋体にはめ込まれる緩衝材
１０ｂ  ケース本体にはめ込まれる緩衝材
１１  係止部
１１ａ  凹状の係止部
１１ｂ  凸上の係止部
２    アクセサリー型電子マネー媒体
２ａ  キーホルダーの形態のアクセサリー型電子マネー媒体
２ｂ  ストラップの形態のアクセサリー型電子マネー媒体
２０  小型非接触ＩＣ媒体
３ａ  カード収納箱
３ｂ  ダンボール
３ｃ  カード
【図１】
2014081683.tif 000003
【図２】
2014081683.tif 000004
【図３】
2014081683.tif 000005
【図４】
2014081683.tif 000006